(57)【要約】【課題】梯子が回転等しにくいようにして安定した梯子作業が行える梯子固定治具及び梯子装置を提供する。【解決手段】この梯子固定治具１は、梯子１３の上部ステップ１５に着脱自在に取り付けられる基部２と、円柱１１に応じて選択可能な形状を有するとともに、前記基部１１に回動可能に取り付けられる回動部３とを備え、前記基部２は、逆Ｕ字状断面をなしかつ当該基部２の上面に直立するリブ６，６を設けたものであり、前記回動部３は、該回動部３が前記基部２の上面に対して鋭角をなす範囲内で回動可能となるように該基部２のリブ６，６に取り付けられたものである。【選択図】図１
0003144808.tif 000002
【実用新案登録請求の範囲】
【請求項１】
梯子又は脚立を梯子状に展開したときの上部ステップに着脱自在に取り付けられる第一の部材と、
一端側が固定対象となる物体の形状に応じて選択可能な形状を有するとともに、他端側が前記第一の部材の上面に回動可能に取り付けられる第二の部材とを備えたことを特徴とする梯子固定治具。
【請求項２】
前記第一の部材は、逆Ｕ字状断面をなしかつ当該第一の部材の上面に直立するリブを設けたものであり、
前記第二の部材は、該第二の部材の他端側が前記第一の部材のリブに回動可能に取り付けられたものであることを特徴とする請求項１記載の梯子固定治具。
【請求項３】
前記第二の部材の他端側は、該第二の部材の一端側が前記第一の部材の上面に対して鋭角をなす範囲内で回動可能となるように該第一の部材のリブに取り付けられたものであることを特徴とする請求項１又は２記載の梯子固定治具。
【請求項４】
前記第二の部材の一端側は、前記固定対象となる物体である円柱又は多角柱の周面の少なくとも一部を覆うように形成されているか、或いは、前記固定対象となる物体の角部の少なくとも一部を覆うように形成されていることを特徴とする請求項１〜３のいずれか１項に記載の梯子固定治具。
【請求項５】
前記第二の部材の一端側は、該第二の部材の一端側と前記固定対象となる物体との間に介在させるように弾性部材を備えたことを特徴とする請求項１〜４のいずれか１項に記載の梯子固定治具。
【請求項６】
梯子又は脚立を梯子状に展開したときの上部ステップに、請求項１〜５のいずれか１項に記載の梯子固定治具を取り付けたことを特徴とする梯子装置。
【考案の詳細な説明】
【技術分野】
【０００１】
本考案は、例えば街路灯を取り付けた円柱のメンテナンス作業などに使用される梯子固定治具及び梯子装置に関するものである。
【背景技術】
【０００２】
ボックスクレーン等の入ることのできないような狭い路地に設置される電柱や街路灯のメンテナンス作業には梯子や脚立を用いざるをえない。しかし、街路灯を取り付けた柱は、電柱に比べて小径である。したがって、この柱に梯子、或いは、脚立を展開して梯子状としたもの（以下、「梯子」と総称する。）を立て掛けて同作業を行う場合には、その梯子の最上段付近のステップと柱とはほとんど点接触に近い状態となり、その接触点まわりに梯子が回転してしまうおそれがあるため、非常に不安定なものとなる。
【０００３】
このため、従来は補助者に梯子を支えさせた状態で、作業者が梯子を上り、その最上段付近のステップをロープ等で柱に固縛するといった方法をとっていた。これでは、作業効率が低く、短時間に多数の街路灯のメンテナンスを行うことが困難であった。
【０００４】
そこで、例えば特許文献１では、円柱の直立面を保持する湾曲する接合板を先方開放する逆八字型に基盤を構成し接合板に弾性体でライニングを介し形成している円柱対応の梯子安定装置が開示されている。これにより、円柱の径サイズの大小無関係に、どんな円柱、立木、角柱にも対応できるとされている。
【０００５】
また、特許文献２では、梯子側に取り付ける断面コ字状の部品の側面側に延設されたリブに、柱側に取り付ける部品を、ボルトを介して挿し込み、前記梯子側に取り付ける部品に対して上下可動とすることにより、梯子の設置角度を気にせずに、柱面に垂直に接するようにした梯子用アタッチメントが開示されている。これにより、梯子の最上段付近のステップと柱とは２箇所で面接触となり、その接触点まわりに梯子が回転してしまうおそれがさらに少なくなるから、どんな角柱、円柱にも対応できるとされている。
【特許文献１】特開２００８−０１４１１０号公報
【特許文献１】特開２００６−１３２２９８号公報
【考案の開示】
【考案が解決しようとする課題】
【０００６】
しかしながら、前記特許文献１の技術では、円柱の直立面を保持する接合板は特殊形状ではあるものの、常に一定の形状となっている。一方、梯子の設置角度は設置場所により大きく変わることがあるので、その梯子の設置角度のいかんによっては、接合板と柱とはほとんど点接触に近い状態となり、その接触点まわりに梯子が回転してしまうおそれがあった。
【０００７】
また、前記特許文献２の技術では、梯子側に取り付ける断面コ字状の部品の側面側に延設されたリブに、柱側に取り付ける部品を、ボルトを介して挿し込み、前記梯子側に取り付ける部品に対して上下可動とすることにより、梯子の設置角度のいかんに関わらず前記柱側に取り付ける部品と柱とは２箇所で面接触となるものの、その接触点と梯子の最上段付近のステップとの距離が大きくなる。したがって、例えば作業者が重たい荷物を最上段付近のステップに上ったときに、当該接触点まわりのモーメントが大きくなり、梯子が回転してしまうおそれがあった。また、前記接触点と梯子の最上段付近のステップとの距離が大きくなるから、狭い路地に梯子を設置したとすると、その梯子の設置角度が小さくなり、この場合は、梯子が転倒してしまうおそれがあった。
【０００８】
このように、いずれも梯子が回転等してしまうおそれがあるので、安定した梯子作業を行うことが困難であった。
【０００９】
本考案は、上記事情に鑑みたものであり、その目的とするところは、梯子が回転等しにくいようにして安定した梯子作業が行える梯子固定治具及び梯子装置を提供することである。
【課題を解決するための手段】
【００１０】
本考案の梯子固定治具は、梯子又は脚立を梯子状に展開したときの上部ステップに着脱自在に取り付けられる第一の部材と、一端側が固定対象となる物体の形状に応じて選択可能な形状を有するとともに、他端側が前記第一の部材の上面に回動可能に取り付けられる第二の部材とを備えたことを特徴とするものである。
【００１１】
本考案の梯子固定治具によれば、梯子又は脚立を梯子状に展開したときの上部ステップに着脱自在に取り付けられる第一の部材と、一端側が固定対象となる物体の形状に応じて選択可能な形状を有するとともに、他端側が前記第一の部材の上面に回動可能に取り付けられる第二の部材とが備えられているので、固定対象となる物体の形状のいかんに関わらず、第二の部材の一端側を選択することで、前記固定対象となる物体に接触する面積をできるだけ大きくとれるようになる。
【００１２】
また、第二の部材の他端側が、梯子等の上部ステップに取り付けられる第一の部材の上面に回動可能に取り付けられるので、梯子等の設置角度のいかんに関わらず前記第二の部材の一端側と固定対象となる物体とは、上記作用と相俟って、できるだけ大きな面積での面接触が可能となる。しかも、この場合は、梯子等の上部ステップと第二の部材の一端側との距離をできるだけ短くすることができるので、例えば作業者が重たい荷物を持って最上段付近のステップに上ったときにも、固定対象となる物体と第二の部材の一端側との接触点まわりのモーメントが非常に小さくなり、梯子等が回転しにくくなる。また、梯子等の上部ステップと第二の部材の一端側との距離をできるだけ短くすることができるので、狭い路地に梯子等を設置したとしても、その梯子等の設置角度を大きくとることができ、梯子等が転倒しにくくなる。その結果、常に安定した梯子作業を行うことができるようになる。
【００１３】
請求項２記載の考案のように、前記第一の部材は、逆Ｕ字状断面をなしかつ当該第一の部材の上面に直立するリブを設けたものであり、前記第二の部材は、該第二の部材の他端側が前記第一の部材のリブに回動可能に取り付けられたものであることが好ましい。
【００１４】
請求項２記載の考案によれば、前記第一の部材は、逆Ｕ字状断面をなしかつ当該第一の部材の上面に直立するリブを設けたものであり、前記第二の部材は、該第二の部材の他端側が前記第一の部材のリブに回動可能に取り付けられたものであるので、第二の部材の他端側を、第一の部材の上面において確実に回動するように取り付けることができる。
【００１５】
ところで、第二の部材の第一の部材に対する回動範囲を大きく取りすぎると、第二の部材が第一の部材の上面の下方に回り込み、或いは、第二の部材が第一の部材の上面の固定対象である物体とは反対側に倒れこみ、その固定対象である物体の表面に当接しなくなる場合がある。そこで、請求項３記載の考案のように、前記第二の部材の他端側は、該第二の部材の一端側が前記第一の部材の上面に対して鋭角をなす範囲内で回動可能となるように該第一の部材のリブに取り付けられたものであることが好ましい。
【００１６】
請求項３記載の考案によれば、前記第二の部材の他端側は、該第二の部材の一端側が前記第一の部材の上面に対して鋭角をなす範囲内で回動可能となるように該第一の部材のリブに取り付けられたものであるので、第二の部材が第一の部材の上面の下方に回り込み、或いは、第二の部材が第一の部材の上面の固定対象である物体とは反対側に倒れこむことがなくなり、梯子等を設定するだけで、その第二の部材が固定対象である物体の表面に確実に当接するようになる。
【００１７】
請求項４記載の考案のように、前記第二の部材の一端側は、前記固定対象となる物体である円柱又は多角柱の周面の少なくとも一部を覆うように形成されているか、或いは、前記固定対象となる物体の角部の少なくとも一部を覆うように形成されていることが好ましい。
【００１８】
請求項４記載の考案によれば、前記第二の部材の一端側は、前記固定対象となる物体である円柱又は多角柱の周面の少なくとも一部を覆うように形成されているか、或いは、前記固定対象となる物体の角部の少なくとも一部を覆うように形成されているので、梯子等を設定するだけで、その第二の部材が固定対象である物体の表面により確実に当接するようになる。
【００１９】
請求項５記載の考案のように、前記第二の部材の一端側は、該第二の部材の一端側と前記固定対象となる物体との間に介在させるように弾性部材を備えていることが好ましい。
【００２０】
請求項５記載の考案によれば、前記第二の部材の一端側は、該第二の部材の一端側と前記固定対象となる物体との間に介在させるように弾性部材を備えたので、梯子等を設定するだけで、その第二の部材が固定対象である物体の表面により確実に当接するようになるとともに、当該表面を傷つけるおそれもなくなる。
【００２１】
請求項６記載の考案に係る梯子装置は、梯子又は脚立を梯子状に展開したときの上部ステップに、請求項１〜５のいずれか１項に記載の梯子固定治具を取り付けたことを特徴とするものである。
【００２２】
請求項６記載の考案に係る梯子装置によれば、梯子又は脚立を梯子状に展開したときの上部ステップに、請求項１〜５のいずれか１項に記載の梯子固定治具を取り付けているので、前記請求項１〜５のいずれか１項に記載の梯子固定治具と同様の作用効果を奏する梯子装置を得ることができる。
【考案の効果】
【００２３】
本考案の梯子固定治具によれば、梯子又は脚立を梯子状に展開したときの上部ステップに着脱自在に取り付けられる第一の部材と、一端側が固定対象となる物体の形状に応じて選択可能な形状を有するとともに、他端側が前記第一の部材の上面に回動可能に取り付けられる第二の部材とが備えられているので、固定対象となる物体の形状のいかんに関わらず、第二の部材の一端側を選択することで、前記固定対象となる物体に接触する面積をできるだけ大きくとれるようになる。
【００２４】
また、第二の部材の他端側が、梯子等の上部ステップに取り付けられる第一の部材の上面に回動可能に取り付けられるので、梯子等の設置角度のいかんに関わらず前記第二の部材の一端側と固定対象となる物体とは、上記作用と相俟って、できるだけ大きな面積での面接触となる。しかも、この場合は、梯子等の上部ステップと第二の部材の一端側との距離をできるだけ短くすることができるので、例えば作業者が重たい荷物を持って最上段付近のステップに上ったときにも、固定対象となる物体と第二の部材の一端側との接触点まわりのモーメントが非常に小さくなり、梯子等が回転しにくくなる。また、梯子等の上部ステップと第二の部材の一端側との距離をできるだけ短くすることができるので、狭い路地に梯子等を設置したとしても、その梯子等の設置角度を大きくとることができ、梯子等が転倒しにくくなる。その結果、常に安定した梯子作業を行うことができるようになる。
【００２５】
また、請求項６記載の考案に係る梯子装置によれば、梯子又は脚立を梯子状に展開したときの上部ステップに、請求項１〜５のいずれか１項に記載の梯子固定治具を取り付けているので、前記請求項１〜５のいずれか１項に記載の梯子固定治具と同様の作用効果を奏する梯子装置を得ることができる。
【考案を実施するための最良の形態】
【００２６】
図１は本考案の一実施形態に係る梯子固定治具１の全体構成を示す斜視図、図２は梯子固定治具１の一例における詳細構成を示す図であって、（ａ）は平面図、（ｂ）は側面図である。なお、梯子固定治具１を適用しうる梯子（梯子装置に相当する。）１３の左右の側板１４，１４のうち右側の側板は、左側の側板と同様であるので、説明の便宜上、その図示を省略している。また、以下、梯子固定治具１の梯子１３に対向する側を前、反対側を後という。
【００２７】
図１に示すように、本実施形態に係る梯子固定治具１を適用しうる梯子１３は、平行に延びる左右の側板１４，１４の間に、作業者が上りやすい所定ピッチで取り付けられた複数段のステップ１５，１５，・・・を備えている。
【００２８】
梯子固定治具１は、さらに図２（ａ）（ｂ）に示すように、例えば塗装した鉄製、アルミニウム製、或いは、強化プラスチック製のものであり、この梯子１３の最上段付近のステップ（上部ステップに相当する。）１５に着脱自在に取り付けられる基部（第一の部材に相当する）２と、街路灯を支持する円柱（固定対象となる物体の一例である。）１１の形状に応じて選択可能な形状を有するとともに、前記基部２に回動可能に取り付けられる回動部（第二の部材に相当する。）３と、この回動部３と円柱１１との間に介在する厚手のゴム板（弾性体に相当する。）４を備えている。
【００２９】
基部２は、前記梯子１３の最上段付近のステップ１５の長さよりも若干短く設定されており、かつ、上面２１と、前面２２と、後面２３とからなっており、側断面が逆Ｕ字状をなしている。そして、後面２３の左右両端付近には、図示しないネジ孔が設けられており、これらのネジ孔にそれぞれ螺合可能なボルト５，５を備えている。
【００３０】
また、基部２の上面２１には、基部２の長手方向の中央から左右対称に振り分けられるようにした部位にそれぞれ直立するリブ６，６が設けられている。リブ６，６は平面視でそれぞれＬ字状と逆Ｌ字状とをなしており、その一方の面６１，６１が基部２の後面２３の真上にあり、他方の面６２，６２が基部２の中央付近に対向配置されているものある。そして、他方の面６２，６２の略中央には、それぞれ貫通孔（不図示）が形成されている。他方の面６２，６２間にはスリーブ９が介装されており、前記貫通孔は、このスリーブ９を介して互いに見通すことができるようになっている。
【００３１】
回動部３は、平面視で前方が開放された半円状の屈曲面（一端側に相当する。）３０をなしており、その屈曲面３０から後方に延びた平板（他端側に相当する。）７，７を備えている。すなわち、平板７，７の前端部分は、屈曲面３０に固定されており、その後端部分は、後述する回動動作の邪魔にならないように、適宜面取りされ、或いは、適宜アールが付けられている。また、平板７，７には、前記基部２の貫通孔に対応させて、それぞれ貫通孔７ａ，７ａが形成されている。そして、両貫通孔が側面視で見通すことができるように、前記リブ６，６を、前記平板７，７で挟み込んだ状態で、前記両貫通孔を、ボルト１０でスリーブ９を介してナット８で固定するようになっている。屈曲面３０のサイズは、円柱のサイズ（例えばΦ５０ｍｍ、Φ６５ｍｍ、Φ８０ｍｍ、Φ９０ｍｍ、Φ１００ｍｍ、Φ１２５ｍｍ、Φ１５０ｍｍなど）に応じて種々のものが用意されるものとする。
【００３２】
屈曲面３０のサイズはこのように種々のものであっても、いずれも平板７，７のサイズは同一のものとしている。これにより、任意に選択したサイズの屈曲面３０を有する回動部３を前記基部２に着脱自在に取り付けることができるようになっている。同様にして、後述する他の形態の回動部３を選択して前記基部２に着脱自在に取り付ける場合もまったく同様である。なお、ナット８を蝶ナットなどで構成して、回動部３の基部２からの取り外しや、回動部３の基部２への取り付けをさらに容易にすることもできる。
【００３３】
ゴム板４は、回動部３の屈曲面３０の前面から上下左右にそれぞれ若干に張り出した状態で貼り付けられている。これにより、梯子１３を設定するだけで、前記回動部３の屈曲面３０が前記円柱１１の表面に確実に当接するようになるとともに、当該表面を傷つけるおそれもなくなる。なお、ゴム板４の代わりに他の種類の弾性体を用いることもできる。
【００３４】
図３は基部２に回動部３を取り付けた状態を示す側面図であって、（ａ）は回動部３が下向きの状態、（ｂ）は回動部３が上向きの状態をそれぞれ示している。
【００３５】
ところで、回動部３の基部２に対する回動範囲を大きく取りすぎると、回動部３が基部２の上面２１の下方に回り込み、或いは、回動部３が基部２の上面２１の前記円柱１１とは反対側に倒れこみ、その円柱１１の表面に当接しなくなる場合がある。そこで、図３（ａ）に示すように、回動部３は、基部２に取り付けた状態では、その平板７，７が基部２の上面２１の前端部分に当接するか、或いは、回動部３自体が基部２の上面２１に対して若干下方で前面２２に当接するようにしている。このときの回動角度−θ１は鋭角である。
【００３６】
また、図３（ｂ）に示すように、梯子１３を円柱１１に立て掛けた状態では、回動部３の平板７，７は、基部２の上面に対して若干上方でリブ６，６の一方の面６１，６１に当接するようにしている。このときの回動角度＋θ２も鋭角である。すなわち、回動部３は、基部２の上面２１に対して、常に鋭角をなす範囲内でのみ回動可能となっている。これにより、回動部３が基部２の上面２１の下方に回り込み、或いは、回動部３が基部２の上面２１の前記円柱１１とは反対側に倒れこむことがなくなり、梯子１３を設定するだけで、その回動部３が前記円柱１１の表面に確実に当接するようになる。
【００３７】
また、梯子固定治具１では、基部２に取り付けられる回動部３は選択可能となっている。すなわち、この回動部３は、前記円柱１１の当該当接箇所での全周を覆うように形成されているものもあり、四角柱などの多角柱の周面の少なくとも一部を覆うように形成されているものもある。また、家屋の屋根パラペットの角部又は壁面の平面部の少なくとも一部を覆うように形成されているものもある。さらには、斜め屋根のケラバ側に梯子１３を立て掛けるときにもそのケラバ側の少なくとも一部を覆うように形成されていることもある。
【００３８】
まず、図４は梯子１３を立て掛けたときの円柱１１との接触面を環状に取り囲むように形成された回動部３の詳細構造を示す図であって、（ａ）は平面図、（ｂ）は側面図である。すなわち、図４（ａ）（ｂ）の実線で示すように、この回動部３は、平面視で支点３ａを中心として、半円状の屈曲面３１，３２をそれぞれの係合部３ｂ，３ｃで一時的に切り離して前記円柱１１を挿通した後に、図７（ａ）（ｂ）の二点差線で示すように、再度結合させて該円柱１１に固定するものである。
【００３９】
具体的には、図４（ａ）の実線において、支点３ａは屈曲面３１の左端側と屈曲面３２の右端側とをヒンジ結合する部材であり、係合部３ｂは屈曲面３１の右端側において回動可能に取り付けられたボルトに螺合されたナット状の部材であり、係合部３ｃは屈曲面３２の左端側においてこれも回動可能に取り付けられた二股状の部材である。屈曲面３１，３２の各サイズは、円柱のサイズ（例えばΦ５０ｍｍ、Φ６５ｍｍ、Φ８０ｍｍ、Φ９０ｍｍ、Φ１００ｍｍ、Φ１２５ｍｍ、Φ１５０ｍｍなど）に応じて種々のものが用意されるものとする。
【００４０】
回動部３は、さらに屈曲面３２から後方に延びる平板７，７を備えており、この平板７，７には、前記基部２の貫通孔に対応させて、それぞれ貫通孔７ａ，７ａが形成されている。そして、両貫通孔が側面視で見通すことができるように、前記リブ６，６を、前記平板７，７で挟み込んだ状態で、前記両貫通孔を、ボルト１０でスリーブ９を介してナット８で固定するようになっている。
【００４１】
したがって、前記図１に示したように、梯子固定治具１を取り付けた梯子１３を円柱１１に立て掛けた上で、さらに図４（ａ）の二点差線に示すように、梯子固定治具１の回動部３の屈曲面３１の左端側を、その右端側の支点３ａを中心として時計方向に回転させる。そして、屈曲面３２の右端側と重なるようにした状態で、係合部３ｂのボルトを係合部３ｃの二股状の部材の当該二股部分にはめ込み、係合部３ｂのナットを締めることで、屈曲面３１，３２の結合を行う。
【００４２】
これにより、梯子固定治具１の回動部３が、梯子１３を立て掛けたときの円柱１１との接触面を環状に取り囲むようになるので、その梯子１３は円柱１１に確実に固定されるようになる。なお、回動部３の内側には図示しないゴム板が貼り付けられているので、円柱１１を傷つけるおそれはない。
【００４３】
図５は梯子１３を立て掛けたときの図示しない四角柱との接触面を凹字状に取り囲むように形成された回動部３の詳細構造を示す図であって、（ａ）は平面図、（ｂ）は側面図である。すなわち、図５（ａ）（ｂ）に示すように、梯子固定治具１の回動部３は、平面視で前方が開放された凹字状をなしている。回動部３のサイズは、角柱のサイズ（例えば□７５ｍｍ、□１００ｍｍ、□１５０ｍｍ、□２００ｍｍなど）に応じて種々のものが用意されるものとする。また、回動部３の後面から後方に延びる平板７，７を備えている。この平板７，７には、前記基部２の貫通孔に対応させて、それぞれ貫通孔７ａ，７ａが形成されている。
【００４４】
そして、前記図１に示したのと同様にして、梯子固定治具１を取り付けた梯子１３を前記角柱に立て掛けると、その回動部３が、梯子１３を立て掛けたときの前記角柱との接触面を凹字状に取り囲むようになるので、その梯子１３は前記角柱に確実に固定されるようになる。なお、回動部３の内側には図示しないゴム板が貼り付けられているので、円柱１１を傷つけるおそれはない。
【００４５】
図６は梯子１３を立て掛けたときの建築物のＨ型鋼１６のフランジ部分との接触面を逆コ字状に取り囲むように形成された回動部３の詳細構造を示す図であって、（ａ）は平面図、（ｂ）は側面図である。すなわち、図６（ａ）（ｂ）に示すように、回動部３は、側面視で前方が開放された逆コ字状をなしており、その上面の長手方向の中央から左右対称に振り分けられるようにした部位にそれぞれ直立するボルト３ｄ，３ｄが螺合されている。その後面から後方に延びる平板７，７を備えている。平板７，７には、前記基部２の貫通孔に対応させて、それぞれ貫通孔７ａ，７ａが形成されている。
【００４６】
そして、前記図１に示したのと同様にして、梯子固定治具１を取り付けた梯子１３を前記建築物のＨ型鋼１６のフランジ部分に立て掛けると、その梯子固定治具１の回動部３が、前記建築物のＨ型鋼１６のフランジ部分との接触面を逆コ字状に取り囲むようになるので、その梯子１３はＨ型鋼１６のフランジ部分に確実に固定されるようになる。なお、回動部３の内側にはゴム板４が貼り付けられているので、Ｈ型鋼１６のフランジ部分を傷つけるおそれはない。
【００４７】
図７は梯子１３を立て掛けたときの図示しない建築物における横向きの丸鋼１７との接触面を逆コ字状に取り囲むように形成された回動部３の詳細構造を示す図であって、（ａ）は平面図、（ｂ）は側面図である。すなわち、図７（ａ）（ｂ）に示すように、回動部３は、側面視で前方が開放された半円状をなしており、その後面から後方に延びる平板７，７を備えている。平板７，７には、前記基部２の貫通孔に対応させて、それぞれ貫通孔７ａ，７ａが形成されている。
【００４８】
そして、前記図１に示したのと同様にして、梯子固定治具１を取り付けた梯子１３を前記丸鋼１７に立て掛けると、その梯子固定治具１の回動部３が、前記丸鋼１７との接触面を逆コ字状に取り囲むようになるので、その梯子１３は前記丸鋼１７に確実に固定されるようになる。なお、回動部３の内側にはゴム板４が貼り付けられているので、丸鋼１７を傷つけるおそれはない。
【００４９】
図８は梯子１３を立て掛けたときの建築物の屋根パラペットの角部１８との接触面を逆Ｌ字状に取り囲むように形成された回動部３の詳細構造を示す図であって、（ａ）は平面図、（ｂ）は側面図である。すなわち、図８（ａ）（ｂ）に示すように、回動部３は、側面視で前方が開放された逆Ｌ字状をなしており、その後面から後方に延びる平板７，７を備えている。平板７，７には、前記基部２の貫通孔に対応させて、それぞれ貫通孔７ａ，７ａが形成されている。
【００５０】
そして、前記図１に示したのと同様にして、梯子固定治具１を取り付けた梯子１３を前記屋根パラペットの角部１８に立て掛けると、その梯子固定治具１の回動部３が、前記屋根パラペットの角部１８との接触面を逆Ｌ字状に取り囲むようになり、その梯子１３は前記屋根パラペットの角部１８に確実に固定されるようになる。なお、回動部３の内側にはゴム板４が貼り付けられているので、屋根パラペットの角部１８を傷つけるおそれはない。
【００５１】
図９は梯子１３を立て掛けたときの建築物の傾斜した屋根のケラバ側２０との接触面を逆Ｌ字状に取り囲むように形成された回動部３の詳細構造を示す図であって、（ａ）は平面図、（ｂ）は正面図、（ｃ）は側面図である。すなわち、図９（ａ）（ｂ）（ｃ）に示すように、回動部３は、側面視で前方が開放された逆Ｌ字状をなしている本体３３と、その後面の長手方向の中央から左右対称に振り分けられるようにした部位にそれぞれ直立するボルト３３ａ，３３ａが螺合されている。また、本体３３に対して後面視で所定角度だけ回転させた状態で固定可能な中間体３４を備えている。
【００５２】
中間体３４には、本体３３のボルト３３ａ，３３ａを挿通可能な円弧状の溝部３４ａ，３４ａが設けられている。すなわち、図９（ｂ）の実線で示すように、当初は本体３３と中間体３４とは平行な状態にあって、そのときには、本体３３のボルト３３ａ，３３ａは、中間体３４の溝部３４ａ，３４ａに緩く嵌められているものとする。そして、屋根のケラバ側２０の傾斜角度に合わせて、本体３３を傾斜させると、ボルト３３ａ，３３ａは、溝部３４ａ，３４ａ内に沿って移動するが、その状態は、図９（ｂ）の二点鎖線で示すとおりである。中間体３４は、その後面から後方に延びる平板７，７を備えている。平板７，７には、前記基部２の貫通孔に対応させて、それぞれ貫通孔７ａ，７ａが形成されている。
【００５３】
そこで、前記図１に示したのと同様にして、梯子固定治具１を取り付けた梯子１３を前記傾斜した屋根のケラバ側２０に立て掛けると、その梯子固定治具１の回動部３が、前記傾斜した屋根のケラバ側２０との接触面を逆Ｌ字状に取り囲むようになるので、その梯子１３は前記傾斜した屋根のケラバ側２０に確実に固定されるようになる。なお、回動部３の内側にはゴム板４が貼り付けられているので、屋根のケラバ側を傷つけるおそれはない。
【００５４】
以下、この梯子固定治具１の使用方法について説明する。
【００５５】
図１に示すように、梯子固定治具１は、例えば街路灯を取り付けた円柱１１の形状に応じて、例えば、図２（ａ）（ｂ）に示すような形状の回動部３が選択されたものとする。この選択された回動部３が、基部２に回動可能に取り付けられる。すなわち、回動部３の平板７，７に形成された貫通孔７ａ，７ａと、基部２のリブ６，６に形成された貫通孔（不図示）を側面視で見通すことができるように、前記リブ６，６を、前記平板７，７で挟み込んだ状態で、前記両貫通孔を、ボルト１０でスリーブ９を介してナット８で固定する。このようにして、回動部３を、基部２の上面２１において確実に回動するように取り付けることができる。
【００５６】
しかる後に、基部２の後面２３の左右両端付近に設けられた前記ネジ孔に、ボルト５，５をそれぞれ螺合することで、その基部２を梯子１３の最上段のステップ１５に固定することができる。このときには、図３（ａ）に示すように、前方に若干傾斜した状態となっている。この状態で梯子１３を円柱１１に立て掛けると、図３（ｂ）に示すように、回動部３が基部２に対して回動して、円柱１１に面接触するようになる。
【００５７】
この梯子固定治具１の基部２に回動可能に取り付けられた回動部３で、円柱１１に固定された梯子１３に作業者が上って所定の梯子作業を行う。或いは、梯子固定治具１の基部２に取り付けられた回動部３を、その他の回動部３に取り替えて、さらなる梯子作業を行う。これらの梯子作業の終了により、梯子１３から梯子固定治具１を上記と逆の手順で取り外す。
【００５８】
以上説明したように、本実施形態の梯子固定治具１によれば、梯子１３の最上段のステップ１５に着脱自在に取り付けられる基部２と、例えば街路灯を取り付けた円柱１１の形状に応じて選択可能な形状を有するとともに、基部２の上面２１に回動可能に取り付けられる回動部３とが備えられているので、円柱１１の形状のいかんに関わらず、回動部３を選択することで、円柱１１に接触する面積をできるだけ大きくとれるようになる。
【００５９】
また、回動部３が、梯子１３の最上段のステップ１５に取り付けられる基部２の上面２１に回動可能に取り付けられるので、梯子１３の設置角度のいかんに関わらず回動部３の一端側と円柱１１とは、上記作用と相俟って、できるだけ大きな面積での面接触となる。しかも、この場合は、梯子１３の最上段のステップ１５と回動部３との距離をできるだけ短くすることができるので、例えば作業者が重たい荷物を持って最上段付近のステップ１５に上ったときにも、円柱１１と回動部３の一端側との接触点まわりのモーメントが非常に小さくなり、梯子１３が回転しにくくなる。また、梯子１３の最上段のステップ１５と回動部３との距離をできるだけ短くすることができるので、狭い路地に梯子１３を設置したとしても、その梯子１３の設置角度を大きくとることができ、梯子１３が転倒しにくくなる。その結果、常に安定した梯子作業を行うことができるようになる。
【００６０】
なお、上記実施形態では、梯子１３に梯子固定治具１を適用しているが、脚立を展開して梯子状にしたものであっても同様に梯子固定治具１を適用することができる。
【００６１】
また、上記実施形態では、梯子固定治具１の基部２に回動可能に取り付けられる回動部３のうちの数種類を例示したが、その他の回動部３であっても選択することができる。
【００６２】
また、上記実施形態では、図３（ａ）（ｂ）に示すように、回動部３の平板７，７を基部２の上面２１又は回動部３自体を基部２の前面２２に当接させ、また回動部３の平板７，７をリブ６の一方の面６１に当接させることにより、その回動部３の回動範囲を規制しているが、別途ストッパーを設けてもよいのはもちろんである。
【図面の簡単な説明】
【００６３】
【図１】本考案の一実施形態に係る梯子固定治具の全体構成を示す斜視図である。
【図２】梯子固定治具の一例における詳細構成を示す図であって、（ａ）は平面図、（ｂ）は側面図である。
【図３】梯子固定治具の他の例における回動部の詳細構成を示す図であって、（ａ）は平面図、（ｂ）は側面図である。
【図４】梯子固定治具の他の例における回動部の詳細構成を示す図であって、（ａ）は平面図、（ｂ）は側面図である。
【図５】梯子固定治具の他の例における回動部の詳細構成を示す図であって、（ａ）は平面図、（ｂ）は側面図である。
【図６】梯子固定治具の他の例における回動部の詳細構成を示す図であって、（ａ）は平面図、（ｂ）は側面図である。
【図７】梯子固定治具の他の例における回動部の詳細構成を示す図であって、（ａ）は平面図、（ｂ）は側面図である。
【図８】梯子固定治具の他の例における回動部の詳細構成を示す図であって、（ａ）は平面図、（ｂ）は側面図である。
【図９】梯子固定治具の他の例における回動部の詳細構成を示す図であって、（ａ）は平面図、（ｂ）は正面図、（ｃ）は側面図である。
【符号の説明】
【００６４】
１  梯子固定治具
２  基部（第一の部材に相当する。）
３  回動部（第二の部材に相当する。）
３０  屈曲面（第二の部材の一端側に相当する。）
４  ゴム板（弾性体に相当する。）
５  ボルト
６  リブ
７  平板（第二の部材の他端側に相当する。）
８  ナット
９  スリーブ
１０  ボルト
１１  円柱（固定対象である物体に相当する。）
１３  梯子（梯子装置に相当する。）
１４  側板
１５  ステップ
【図１】
0003144808.tif 000003
【図２】
0003144808.tif 000004
【図３】
0003144808.tif 000005
【図４】
0003144808.tif 000006
【図５】
0003144808.tif 000007
【図６】
0003144808.tif 000008
【図７】
0003144808.tif 000009
【図８】
0003144808.tif 000010
【図９】
0003144808.tif 000011